【手続補正書】
【提出日】平成27年12月21日(2015.12.21)
【手続補正１】
【補正対象書類名】明細書
【補正対象項目名】発明の名称
【補正方法】変更
【補正の内容】
【発明の名称】印刷条件提供装置、印刷装置及び印刷条件提供方法
【手続補正２】
【補正対象書類名】明細書
【補正対象項目名】０００１
【補正方法】変更
【補正の内容】
【０００１】
本発明は、印刷条件提供装置、印刷装置及び印刷条件提供方法に関する。
【手続補正３】
【補正対象書類名】明細書
【補正対象項目名】０００６
【補正方法】変更
【補正の内容】
【０００６】
本発明は、このような問題を解決するためのものであり、印刷対象が再印刷されるものでなくても、その印刷対象に係る好適な印刷条件を提供でき、ユーザが簡単に印刷条件を設定できる、印刷条件提供装置、印刷装置及び印刷条件提供方法を提供することを目的とする。
【手続補正４】
【補正対象書類名】明細書
【補正対象項目名】０００７
【補正方法】変更
【補正の内容】
【０００７】
上記目的を達成するため、本発明に係る印刷条件提供装置は、印刷対象が印刷された際の所定の印刷条件を、前記印刷対象を識別するためのコード情報に対応付けて記憶部に記憶させる記憶制御手段と、印刷対象に対して印刷条件を設定する問い合わせもと装置から検索方法とともに前記コード情報の少なくとも一部からなる検索コードを受信した場合に、前記検索方法によって前記記憶部に記憶されている印刷条件のなかから前記検索コードに対応した印刷条件を検索する印刷条件検索手段と、前記印刷条件検索手段による検索結果として前記検索コードに対応した印刷条件が前記記憶部に記憶されていた場合に、前記検索コードに対応した印刷条件を前記問い合わせもと装置に送信する検索結果送信手段と、を備えたことを特徴とする。
また、本発明に係る印刷条件提供装置は、印刷対象が印刷された際の所定の印刷条件に、前記印刷対象の属性情報と前記印刷対象を識別するためのコード情報とを対応付けて記憶部に記憶させる記憶制御手段と、印刷対象に対して印刷条件を設定する問い合わせもと装置から、検索方法及び前記属性情報とともに前記コード情報の少なくとも一部からなる検索コードを受信した場合に、前記検索方法によって前記記憶部に記憶されている印刷条件のなかから前記検索コードに対応し且つ前記属性情報に対応した印刷条件を検索する印刷条件検索手段と、前記印刷条件検索手段による検索結果として前記検索コード及び前記属性情報に対応した印刷条件が前記記憶部に記憶されていた場合に、前記検索コード及び前記属性情報に対応した印刷条件を前記問い合わせもと装置に送信する検索結果送信手段と、を備えたことを特徴とする。
また、本発明に係る印刷装置は、印刷ジョブに基づいて印刷対象を印刷した際の所定の印刷条件を、前記印刷対象を識別するためのコード情報に対応付けて記憶部に記憶させる記憶制御手段と、印刷対象に印刷条件が設定された前記印刷ジョブを生成するホスト機器から前記印刷ジョブが送信されてくるのに先立って前記ホスト機器から検索方法とともに前記コード情報の少なくとも一部からなる検索コードを受信した場合に、前記検索方法によって前記記憶部に記憶されている印刷条件のなかから前記検索コードに対応した印刷条件を検索する印刷条件検索手段と、前記印刷条件検索手段による検索結果として前記検索コードに対応した印刷条件が前記記憶部に記憶されていた場合に、前記検索コードに対応した印刷条件を前記ホスト機器に送信する検索結果送信手段と、を備えたことを特徴とする。
また、本発明に係る印刷条件提供方法は、印刷対象が印刷された際の所定の印刷条件を、前記印刷対象を識別するためのコード情報に対応付けて記憶部に記憶させる記憶制御ステップと、印刷対象に対して印刷条件を設定する問い合わせもと装置から検索方法とともに前記コード情報の少なくとも一部からなる検索コードを受信した場合に、前記検索方法によって前記記憶部に記憶されている印刷条件のなかから前記検索コードに対応した印刷条件を検索する印刷条件検索ステップと、前記印刷条件検索ステップでの検索結果として前記検索コードに対応した印刷条件が前記記憶部に記憶されていた場合に、前記検索コードに対応した印刷条件を前記問い合わせもと装置に送信する検索結果送信ステップと、を有することを特徴とする。
【手続補正５】
【補正対象書類名】特許請求の範囲
【補正対象項目名】全文
【補正方法】変更
【補正の内容】
【特許請求の範囲】
【請求項１】
印刷対象が印刷された際の所定の印刷条件を、前記印刷対象を識別するためのコード情報に対応付けて記憶部に記憶させる記憶制御手段と、
印刷対象に対して印刷条件を設定する問い合わせもと装置から検索方法とともに前記コード情報の少なくとも一部からなる検索コードを受信した場合に、前記検索方法によって前記記憶部に記憶されている印刷条件のなかから前記検索コードに対応した印刷条件を検索する印刷条件検索手段と、
前記印刷条件検索手段による検索結果として前記検索コードに対応した印刷条件が前記記憶部に記憶されていた場合に、前記検索コードに対応した印刷条件を前記問い合わせもと装置に送信する検索結果送信手段と、
を備えたことを特徴とする印刷条件提供装置。
【請求項２】
印刷対象が印刷された際の所定の印刷条件に、前記印刷対象の属性情報と前記印刷対象を識別するためのコード情報とを対応付けて記憶部に記憶させる記憶制御手段と、
印刷対象に対して印刷条件を設定する問い合わせもと装置から、検索方法及び前記属性情報とともに前記コード情報の少なくとも一部からなる検索コードを受信した場合に、前記検索方法によって前記記憶部に記憶されている印刷条件のなかから前記検索コードに対応し且つ前記属性情報に対応した印刷条件を検索する印刷条件検索手段と、
前記印刷条件検索手段による検索結果として前記検索コード及び前記属性情報に対応した印刷条件が前記記憶部に記憶されていた場合に、前記検索コード及び前記属性情報に対応した印刷条件を前記問い合わせもと装置に送信する検索結果送信手段と、
を備えたことを特徴とする印刷条件提供装置。
【請求項３】
印刷ジョブに基づいて印刷対象を印刷した際の所定の印刷条件を、前記印刷対象を識別するためのコード情報に対応付けて記憶部に記憶させる記憶制御手段と、
印刷対象に印刷条件が設定された前記印刷ジョブを生成するホスト機器から前記印刷ジョブが送信されてくるのに先立って前記ホスト機器から検索方法とともに前記コード情報の少なくとも一部からなる検索コードを受信した場合に、前記検索方法によって前記記憶部に記憶されている印刷条件のなかから前記検索コードに対応した印刷条件を検索する印刷条件検索手段と、
前記印刷条件検索手段による検索結果として前記検索コードに対応した印刷条件が前記記憶部に記憶されていた場合に、前記検索コードに対応した印刷条件を前記ホスト機器に送信する検索結果送信手段と、
を備えたことを特徴とする印刷装置。
【請求項４】
印刷対象が印刷された際の所定の印刷条件を、前記印刷対象を識別するためのコード情報に対応付けて記憶部に記憶させる記憶制御ステップと、
印刷対象に対して印刷条件を設定する問い合わせもと装置から検索方法とともに前記コード情報の少なくとも一部からなる検索コードを受信した場合に、前記検索方法によって前記記憶部に記憶されている印刷条件のなかから前記検索コードに対応した印刷条件を検索する印刷条件検索ステップと、
前記印刷条件検索ステップでの検索結果として前記検索コードに対応した印刷条件が前記記憶部に記憶されていた場合に、前記検索コードに対応した印刷条件を前記問い合わせもと装置に送信する検索結果送信ステップと、
を有することを特徴とする印刷条件提供方法。